(57)【要約】【課題】二重シートの空気層内に空気を強制的に送り込む送風機として小型軽量のファン型送風機を使用し、該ファン型送風機をシートに直接取り付けて実施することにより、配管を一切不要とすることができるエアハウスを提供する。【解決手段】温室の外郭を構成する透光性の合成樹脂シートを２枚重ね合わせそのシート周縁をシート止め材で気密にシールして成る二重シートの空気層内へ空気を強制的に吹き込み膨張させた空気層膜構造を有するエアハウスにおいて、前記二重シートの内側シートへハウス内側から小型軽量のファン型送風機が直接取り付けられ、同ファン型送風機の空気吹き出し口が前記空気層に向かって直接開口されている。【選択図】図２
2004033065.tif 000002
【特許請求の範囲】
【請求項１】
温室の外郭を構成する透光性の合成樹脂シートを２枚重ね合わせそのシート周縁をシート止め材で気密にシールして成る二重シートの空気層内へ空気を強制的に吹き込み膨張させた空気層膜構造を有するエアハウスにおいて、
前記二重シートの内側シートへハウス内側から小型軽量のファン型送風機が直接取り付けられ、同ファン型送風機の空気吹き出し口が前記空気層に向かって直接開口されていることを特徴とする、エアハウス。
【請求項２】
空気層膜構造は、温室の屋根面、側壁面、妻面の全部又は一部に設けられていることを特徴とする、請求項１に記載したエアハウス。
【請求項３】
一つの温室に複数設けられた空気層膜構造同士は、連通管により相互に連通されていることを特徴とする、請求項１又は２に記載したエアハウス。
【請求項４】
ファン型送風機は、その機枠のフランジが、内側シートの内側面に当てがわれ、同シートの外側面に前記フランジと略同形の押さえ縁が当てがわれ同シートをサンドイッチ状に挟みボルト止めにより取り付けられ、前記フランジの内周縁に沿って同シートを切除した開口が形成されていることを特徴とする、請求項１〜３のいずれか一に記載したエアハウス。
【請求項５】
ファン型送風機は、少なくとも２機のファン型送風機を直列に連結して成ることを特徴とする、請求項４に記載したエアハウス。
【請求項６】
ファン型送風機の空気吹き出し口に、空気層内へ吹き込んだ空気の逆流を防止する逆止弁が設けられていることを特徴とする、請求項１〜５のいずれか一に記載したエアハウス。
【請求項７】
ファン型送風機の空気吹き出し口において、二重シートを形成する内側シートと外側シートの付着を防止する付着防止手段が設けられていることを特徴とする、請求項１〜６のいずれか一に記載したエアハウス。
【請求項８】
ファン型送風機を取り付ける押さえ縁の周縁部に、内側シートに結露した水滴を流下させるガイドが形成されていることを特徴とする、請求項１〜７のいずれか一に記載したエアハウス。
【請求項９】
シート止め材による二重シートの止着部分に、シートに結露して流下した水滴を浸透させハウス外へ導く細帯状の不織布が、上下方向に、且つ間隔を開けて複数配置されていることを特徴とする、請求項１〜８のいずれか一に記載したエアハウス。
【発明の詳細な説明】
【０００１】
【発明の属する技術分野】
この発明は、野菜・花卉等の促成栽培に使用する温室の技術分野に属し、更に云えば、温室（特には外郭をシートで形成する所謂ビニルハウス）の外郭を構成する透光性の合成樹脂シートを２枚重ね合わせて気密にシールして成る二重シートの空気層内へ空気を強制的に吹き込み膨張させた空気層膜構造を有するエアハウスに関する。
【０００２】
【従来の技術】
野菜・花卉等の栽培に利用されるビニルハウスは、一般に、鉄骨または鉄パイプ等によりハウスフレームを構成し、同ハウスフレームの外周に外郭材（被覆材）として透光性の合成樹脂シート（例えばビニルシート）をシート止め材で張設し、太陽光線を当該ビニルシートを通して取り入れてハウス内を保温すると共に、寒気や風の侵入を遮断して野菜・花卉等の促成栽培に適した環境を維持する。
【０００３】
しかしながら、通例のビニルハウスは、１枚のビニルシートで外気と遮断しているだけなので断熱性が甚だ不十分であり、室内の温度変化が急激で作物への影響が宜しくない。特に屋根面では、外気の変化によりビニルシートの内側面に結露を生じて採光性を妨げたり、露滴が野菜・花卉等に落下して斑点・かび等の悪影響を野菜・花卉等に与えたりする問題があった。また、屋根面のビニルシートの垂れ下りやたるみを生じ易く、そこに雨や雪が溜まり、ビニルシートの寿命を低下させるという問題があった。この問題は、ビニルシートを支える垂木等を多用し間隔を詰めて実施することにより解消できるが、コストアップという新たな問題が生じていた。
【０００４】
そこで、近年では、特開平７−２５５２９１号公報及び特開平１０−２８４８４号公報に開示しているように、透光性の合成樹脂シートを２枚重ね合わせて成る二重シートの空気層内へエアハウス内の空気を吹き込み膨張させた空気層膜構造を屋根面に有するエアハウスが開発され、実施に供されている。このエアハウスは、ハウスフレームを構成する支柱に設置した送風機（ブロワー型送風機）により、配管を通じて前記二重シートの空気層内へ空気を強制的に吹き込み膨張させている。
【０００５】
前記エアハウスによれば、前記二重シートに熱の不良導体である空気層を形成するのでハウス内の暖気の拡散を防ぐことができ、暖房費の節約にも貢献する。屋根面を覆う合成樹脂シートの剛性を補強するので、合成樹脂シートのたるみや垂れ下がりを防止できる。また、冬季に屋外が低温になっている時にエアハウス内の暖かい空気を二重シートの空気層内に送風することにより、ビニルハウス内と空気層との温度差が少なくなり、合成樹脂シートの内側面に結露し野菜・花卉等に落下する等の問題を解消できる。更に、従来、たるみや垂れ下がり防止のために設けていた余分な垂木等を省いて鋼材の使用量を削減できるので、コスト削減とハウス自体の軽量化を図ることができる。
【０００６】
よって、前記公報に開示したエアハウスによれば、従来の問題点をすべて解消することができると云える。
【０００７】
【発明が解決しようとする課題】
しかしながら、前記エアハウスは、送風機として汎用のブロワー型送風機を使用しているが故に下記する問題があり、改善の余地が残されている。
１）ブロワー型送風機は、概して大型且つ大重量なので、専用の取り付け台座を支柱等のハウスフレームに加工する必要があり、その設置作業及び交換作業が大変面倒であった。
２）ブロワー型送風機は、概して風圧が大きいので、ビニルシートが必要以上に膨張し、ひいては破裂する虞があった。
３）ブロワー型送風機は、平均寿命が２、３年と短いわりには単価が高く、消費電力も大きくて経済的でなかった。
４）ブロワー型送風機が大型であるのに伴いこれに見合った配管を使用している関係上、該配管は太径にならざるを得ず、コストが嵩むことは勿論、配管の取り付け作業も面倒であった。
【０００８】
ところで、エアハウスの空気層膜構造を実現するためには、必ずしも大型且つ大重量で風圧が大きい送風機は必要でない。国内で一般に使用される合成樹脂シート（例えばビニルシート）は１００〜１２０μｍと極薄且つ超軽量であり、小型軽量のファン型送風機を用いても二重シートの空気層内へ空気を効率よく吹き込むことができる上に、シートが破裂する虞も一切無いからである。確かに、前記ブロワー型送風機は短時間で空気層膜構造を実現できる利点はあるが、仮にこの作業が一昼夜掛かったとしても野菜・花卉等の栽培に悪影響を及ぼすものではなく、時間的不都合は一切無いのである。
【０００９】
したがって、本発明の目的は、二重シートの空気層内に空気を強制的に送り込む送風機として小型軽量のファン型送風機を使用し、該ファン型送風機をシートに直接取り付けて実施することにより、配管を一切不要とし、前記１）〜４）の問題点をすべて解消することができるエアハウスを提供することにある。
【００１０】
【課題を解決するための手段】
上記従来技術の課題を解決するための手段として、請求項１に記載した発明に係るエアハウスは、
温室の外郭を構成する透光性の合成樹脂シートを２枚重ね合わせそのシート周縁をシート止め材で気密にシールして成る二重シートの空気層内へ空気を強制的に吹き込み膨張させた空気層膜構造を有するエアハウスにおいて、
前記二重シートの内側シートへハウス内側から小型軽量のファン型送風機が直接取り付けられ、同ファン型送風機の空気吹き出し口が前記空気層に向かって直接開口されていることを特徴とする。
【００１１】
請求項２記載の発明は、請求項１に記載したエアハウスにおいて、空気層膜構造は、温室の屋根面、側壁面、妻面の全部又は一部に設けられていることを特徴とする。
【００１２】
請求項３記載の発明は、請求項１又は２に記載したエアハウスにおいて、一つの温室に複数設けられた空気層膜構造同士は、連通管により相互に連通されていることを特徴とする。
【００１３】
請求項４記載の発明は、請求項１〜３のいずれか一に記載したエアハウスにおいて、ファン型送風機は、その機枠のフランジが、内側シートの内側面に当てがわれ、同シートの外側面に前記フランジと略同形の押さえ縁が当てがわれ同シートをサンドイッチ状に挟みボルト止めにより取り付けられ、前記フランジの内周縁に沿って同シートを切除した開口が形成されていることを特徴とする。
【００１４】
請求項５記載の発明は、請求項４に記載したエアハウスにおいて、少なくとも２機のファン型送風機を直列に連結して成ることを特徴とする。
【００１５】
請求項６記載の発明は、請求項１〜５のいずれか一に記載したエアハウスにおいて、ファン型送風機の空気吹き出し口に、空気層内へ吹き込んだ空気の逆流を防止する逆止弁が設けられていることを特徴とする。
【００１６】
請求項７記載の発明は、請求項１〜６のいずれか一に記載したエアハウスにおいて、ファン型送風機の空気吹き出し口において、二重シートを形成する内側シートと外側シートの付着を防止する付着防止手段が設けられていることを特徴とする。
【００１７】
請求項８記載の発明は、請求項１〜７のいずれか一に記載したエアハウスにおいて、ファン型送風機を取り付ける押さえ縁の周縁部に、内側シートに結露した水滴を流下させるガイドが形成されていることを特徴とする。
【００１８】
請求項９記載の発明は、請求項１〜８のいずれか一に記載したエアハウスにおいて、シート止め材による二重シートの止着部分に、シートに結露して流下した水滴を浸透させハウス外へ導く細帯状の不織布が、上下方向に、且つ間隔を開けて複数配置されていることを特徴とする。
【００１９】
【発明の実施の形態および実施例】
図１は、請求項１に記載した発明に係るエアハウスの実施形態を概略的に示している。このエアハウス１に実施する支柱２、梁３、垂木４、棟木５等の所謂ハウスフレームは格別新規でなく、従来一般のビニルハウスに実施するハウスフレーム、又は上記した公報に開示したエアハウスに実施するハウスフレームと略同様である。ただし、本発明に係るエアハウス１は、主に屋根面６を形成する空気層膜構造を効率良く、確実且つ低コストで実現するという技術的思想に立脚しているが故に、内外シート７、８から成る二重シート間の空気層１２内へ空気を強制的に吹き込む送風機１１及びその取り付け方法に工夫を施していることを特徴としている。
【００２０】
即ち、前記エアハウス１は、その屋根面６の全面にわたり、透光性の合成樹脂シート７、８を内外２枚重ね合わせそのシート７、８の周縁をシート止め材９、１０等で気密にシールして成る二重シートの空気層１２内へ空気を強制的に吹き込み膨張させた空気層膜構造を有し、図２〜図５に示したように、前記二重シートの内側シート８へハウス１の内側から小型軽量のファン型送風機１１が直接取り付けられ、同ファン型送風機１１の空気吹き出し口が前記空気層１２に向かって直接開口されていることを特徴としている（請求項１記載の発明）。
【００２１】
なお、前記合成樹脂シート７、８は、耐用性に優れているポリオレフィン系シートやフッ素系シートを使用することが好ましい。
【００２２】
また、本実施形態に係るエアハウス１は、前記空気層膜構造をエアハウス１の屋根面６にのみ設けて実施しているがこれに限定されず、屋根面６及び側壁面１３並びに妻面２４のすべてに設けて実施しても良いし、屋根面６及び側壁面１３等、必要に応じて任意に選択して実施しても良い（請求項２記載の発明）。
【００２３】
前記ファン型送風機１１は、小型軽量のプロペラファン１１が使用され、その機枠のフランジ１５が内側シート８の内側面にゴムパッキン１６を介して当てがわれ、同シート８の外側面に前記フランジ１５と略同形の押さえ縁１８が、やはりゴムパッキン１７を介して当てがわれて、同シート８をサンドイッチ状に挟み、前記各部材の四隅位置に設けられた一致するボルト孔２３に、互いにクロスさせたコ字形ねじボルト１９、１９を通し、蝶ナット２０でしっかり締結され、前記フランジ１５の内周縁に沿って同シート８を切除した開口を形成して実施されている（請求項４記載の発明）。因みに、前記ゴムパッキン１６、１７は、前記内側シート８の破損等を防止する保護材として使用されるもので、前記フランジ１５と略同形で実施される。因みに図中の符号２１は座金であり、符号２２は六角ナットである。
【００２４】
前記構成のファン型送風機１１によれば、図３に特に示したように、前記コ字形ねじボルト１９、１９における空気層１２側に十分に突き出たボルト部が所謂スペーサーの役割を果たすので、ファン型送風機１１の空気吹き出し口を塞ぐことなく前記プロペラファン１１による空気層１２内への空気の吹き込みをスムーズに行い得る。
【００２５】
なお、前記ファン型送風機１１の構成はこれに限定されず、例えば、図３の破線で示したように、２機のファン型送風機１１、１１を直列に連結して実施することもできる（請求項５記載の発明）。この２連ファン型送風機２８によれば、風圧を容易に増大（５割増し程度）させることができるので、大規模なエアハウスにも十分に対処し得る。また、台風や降雪時に二重シートの空気層１２の空気圧を容易に高めることができ、エアハウス１の強度を容易に増大できると共に合成樹脂シート７、８のバタつき防止にも効果がある。また、前記ファン型送風機１１、２８の空気吸い込み口に必要に応じて虫除けネットを取り付けて実施しても良い。
【００２６】
ところで、図１に示したエアハウス１は、間口方向に６ｍ程度、桁行き方向に４５ｍ程度、高さ３ｍ程度の大きさで実施され、当該エアハウス１に設けられる前記ファン型送風機１１は、棟木５を中心として左右いずれか一方の屋根面（空気層膜構造）６の略中央部（例えば図１の符号Ａ部）に１個設けて実施され、他方の屋根面（空気層膜構造）６には、図６に示したように、連通管２５により相互に連結されてファン型送風機１１による空気を吹き込み可能な構成で実施されている（請求項３記載の発明）。本出願人が行った実験によると、前記エアハウス１について、前記ファン型送風機１１の４０〜６０分程度の稼働により十分な空気層膜構造を実現できることが分かっている。
【００２７】
前記連通管２５は、前記内側シート８の内側面にフランジ２６を介して当てがわれ、同内側シート８の外側面から押さえ縁（図示略）が当てがわれて同シート８をサンドイッチ状に挟み、ボルト２７止めにより取り付けられている。なお、前記連通管２５は、前記ファン型送風機１１の取り付け方法と同様に、ゴムパッキンを併用して実施することが好ましい。
【００２８】
前記ファン型送風機１１に用いられるプロペラファン１１は、概して小型且つ軽量であるが、その中でも特に前記内側シート８の耐荷重及び空気層１２内の空気収容量を考慮して、出力２５Ｗ程度、重量５００ｇ程度のタイプが好適に使用される。ただし、使用するプロペラファン１１のタイプは勿論これに限定されず、空気層膜構造（空気層１２）の空気収容量、及びプロペラファン１１の取り付け個数に応じて適宜、設計変更される。なお、前記ファン型送風機１１は、プロペラファン１１に限定されず、シロッコファン、クロスフローファンでも略同様に実施することができる。
【００２９】
前記二重シート７、８のシート周縁を気密にシールするシート止め材９、１０について、２枚の合成樹脂シート７、８をきっちり止着しなければならないことは勿論、最大層厚２０〜３０ｃｍ程度とされる空気層膜構造を実現する２枚の合成樹脂シート７、８の膨張をも考慮しなければならないので、該２枚の合成樹脂シート７、８の滑り抜けを防止し、十分な止着性・保持性を発揮するシート止め材９、１０を使用することに特に留意する必要がある。そこで、本出願人が先に出願した特開２００１−３０９７２６公報に開示したシート止め材が好適に使用される。このシート止め材は、当該公報の段落［００６５］〜［００６９］に特に記載しているように、シートの止着性・保持性にすこぶる威力を発揮するので、空気層膜構造を実現する２枚の合成樹脂シート７、８を止着するに際して特に最適であると云える。
【００３０】
上記構成のエアハウス１によれば、小型軽量のファン型送風機（プロペラファン）１１を使用するので、従来使用していたブロワー型送風機と比して、専用の取り付け台座を無用とし、その設置作業及び交換作業の効率を向上させることができる。また、前記プロペラファン１１は風圧が小さいので合成樹脂シート７、８を破裂させる虞がなく、平均寿命が１０年程度と長く、その単価もブロワー型送風機と比して１／６程度と安いので、非常に経済的である。更に、前記ファン型送風機１１は合成樹脂シート７、８に直付けできるので、配管等を無用としてコスト削減に寄与することはもちろん、二重シート間の空気層１２に空気を漏れなくダイレクトに吹き込むことができる。
【００３１】
ここで、前記エアハウス１の空気層膜構造を恒常的に維持するに際し、前記ファン型送風機１１の稼働制御等について説明する。
【００３２】
本実施形態に係るファン型送風機１１は、一旦モータを起動させると、途切れることなく永続的にプロペラファン１１を作動させる。この場合のランニングコストは、本出願人が行った実験によると、前記エアハウス１の規模で電気代が月額平均３００円程度と安価であることが分かっている。前記モータの電源については、エアハウス１の近所に人家がある場合にはその人家の電源を利用すれば足りるが、必要に応じてソーラーパネルに切り替えて電気代を節約することも可能である。エアハウス１が人家から離れている場合にはソーラパネルを利用する。
【００３３】
ただし、前記ファン型送風機（プロペラファン）１１を断続的に作動させて前記エアハウス１の空気層膜構造を恒常的に維持することも可能である。この場合には、当該ファン型送風機１１の空気吹き出し口に、空気層１２内へ吹き込んだ空気の逆流を防止する逆止弁を設けることが好ましい（請求項６記載の発明）。例えば、図２〜図５に示したファン型送風機１１の押さえ縁１８と座金２１との間に、ファン型送風機１１の空気吹き出し口を塞ぐ程度の面積を有するシートを介在させて当該シートの上端部のみをファン型送風機１１に固定し下側を開放して実施することが考えられる。また、この逆止弁として機能する当該シートは、プロペラファン１１自体の高温化や紫外線による劣化を防ぐべく、遮光性のある黒色のシート（逆止弁）を使用することがより好ましい。ただし、逆止弁を設ける手段はこれに限定されない。
【００３４】
また、前記二重シート間の空気層１２内へ空気を強制的に吹き込む作業を補助するべく、ファン型送風機１１の空気吹き出し口において、二重シートを形成する内側シート８と外側シート７の付着を防止する付着防止手段を設けることが好ましい（請求項７記載の発明）。本実施形態に係るエアハウス１は、ファン型送風機１１のコ字形ねじボルト１９のボルト部を空気層１２内に十分に突き出る長さで実施することにより、内側シート８（特には空気吹き出し口）に対する外側シート７の付着を防止している。ただし、前記シート７、８の付着防止手段はこれに限定されず、例えば、前記押さえ縁１８を箱型状に形成して実施することもできる。
【００３５】
その他、前記空気層１２内に生じる結露対策として、下記する工夫を施すことが好ましい。
【００３６】
前記ファン型送風機１１については、その押さえ縁１８の周縁部に、図７に示したように、内側シート８に結露した水滴を流下させるガイド１８ａを形成して実施する（請求項８記載の発明）。この場合には、前記押さえ縁１８の周縁部を円形状に形成すると、水滴を効率良く速やかに流下させることができるので好ましい。なお、前記押さえ縁１８が方形状の場合には、当該ガイド１８ａを形成する代わりに（又は形成すると共に）、ファン型送風機１１自体を傾けて内側シート８に取り付けることにより、結露を速やかに流下させることもできる。
【００３７】
前記シート止め材１０（図１参照）については、二重シートの止着部分に、シートに結露して流下した水滴を浸透させハウス外へ導く幅２ｃｍ程度、長さ１０ｃｍ程度の細帯状の不織布を、上下方向に、且つ１ｍ程度の間隔を開けて複数配置して実施することができる（請求項９記載の発明）。
【００３８】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。例えば、前記エアハウス１は、屋根面６、側壁面１３等を開閉するタイプでも実施できる。また、エアハウス１の空気層膜構造は、屋根面６、側壁面１３等の空気層膜構造に１個乃至複数個のファン型送風機１１を設置して各々独立して空気層膜構造を実現することもできるし、連通管２５を用いることにより全体で１個のファン型送風機１１を設置して実現することもできる。当該ファン型送風機１１の設置部位も、空気層膜構造の略中央部に設置することが好ましいが、エアハウス１の内側から設置することを条件に特に限定はされない。更に、前記ファン型送風機１１は、エアハウス１の略全体を構築した後に取り付けても良いし、該内側シート８に予め取り付けた状態でエアハウス１を構築しても良い。
【００３９】
【本発明が奏する効果】
請求項１〜４に記載した発明に係るエアハウスによれば、小型軽量のファン型送風機を使用するので、従来使用していたブロワー型送風機と比して、専用の取り付け台座を無用とし、その設置作業及び交換作業の効率を向上させることができる。また、ファン型送風機は概して風圧が小さいので合成樹脂シートを破裂させる虞がなく、平均寿命が１０年程度と長く、その単価もブロワー型送風機と比して１／６程度と安いので、非常に経済的である。更に、ファン型送風機は合成樹脂シートに直付けできるので、配管等を無用としてコスト削減に寄与することはもちろん、二重シートの空気層に空気を漏れなくダイレクトに吹き込むことができ、安全且つ確実に空気層膜構造を実現することができる。
【００４０】
請求項５に記載した発明に係るエアハウスによれば、前記した効果に加えて、ファン型送風機の風圧を容易に増大させることができ、風圧を容易に増大させることができるので、大規模なエアハウスにも十分に対処し得る。また、台風や降雪時に二重シートの空気層の空気圧を容易に高めることができ、エアハウスの強度を容易に増大できると共に合成樹脂シートのバタつき防止にも効果がある。
【００４１】
請求項６に記載した発明に係るエアハウスによれば、前記した効果に加えて、ファン型送風機の作動を一旦停止させたとしても空気層内の空気の逆流を防ぐことができるので、経済的である。
【００４２】
請求項７に記載した発明に係るエアハウスによれば、前記した効果に加えて、ファン型送風機の空気吹き出し口に外側シートが付着して空気の吹き込みを妨害する虞がないので、効率的な空気の吹き込み作業を行い得る。
【００４３】
請求項８及び９に記載した発明に係るエアハウスによれば、前記した効果に加えて、結露対策についても万全に対処し得る。
【図面の簡単な説明】
【図１】本発明に係るエアハウスを概略的に示した斜視図である。
【図２】本発明に係るエアハウスに実施するファン型送風機の設置状態を示した斜視図である。
【図３】図２の分解斜視図である。
【図４】図２の側面図である。
【図５】図２の後方斜視図である。
【図６】連通管を示した使用状態図である。
【図７】押さえ縁の一部を示した側面図である。
【符号の説明】
１　　エアハウス
２　　支柱
３　　梁
４　　垂木
５　　棟木
６　　エアハウスの屋根面
７　　外側シート
８　　内側シート
９、１０　　シート止め材
１１　　ファン型送風機（プロペラファン）
１２　　空気層
１３　　エアハウスの側壁面
１５　　フランジ
１６、１７　　ゴムパッキン
１８　　押さえ縁
１９　　コ字形ねじボルト
２０　　蝶ナット
２１　　座金
２２　　六角ナット
２３　　ボルト孔
２４　　エアハウスの妻面
２５　　連通管
２６　　フランジ
２７　　ボルト
２８　　２連ファン型送風機
【図１】
2004033065.tif 000003
【図２】
2004033065.tif 000004
【図３】
2004033065.tif 000005
【図４】
2004033065.tif 000006
【図５】
2004033065.tif 000007
【図６】
2004033065.tif 000008
【図７】
2004033065.tif 000009